【手続補正書】
【提出日】令和2年3月28日(2020.3.28)
【手続補正１】
【補正対象書類名】特許請求の範囲
【補正対象項目名】全文
【補正方法】変更
【補正の内容】
【特許請求の範囲】
【請求項１】
遊技球が入球可能な始動口と、
前記始動口への入球に基づいて取得した取得情報を複数個記憶可能な取得情報記憶手段と、
前記取得情報記憶手段に記憶される取得情報に基づいて識別情報を変動表示する識別情報表示手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、
前記識別情報の変動表示に伴って所定の遊技演出を実行する遊技演出実行手段と、
遊技者が所定の入力を行う入力手段と、を備えた遊技機であって、
前記遊技演出として、前記入力手段への入力に基づいて、複数の選択対象画像から何れかを選択する選択演出を有し、
前記選択演出は、
特定の識別情報の変動表示の結果が特定結果となる可能性を示す演出であって、当該特定の識別情報の変動表示より前の識別情報の変動表示に伴って演出を開始可能とし、
且つ、前記入力手段への入力に基づいて何れかの選択対象画像を選択した結果、特定画像又は前記特定画像と異なる非特定画像を表示する結果表示演出と、前記入力手段への入力に基づいて何れかの選択対象画像を選択する演出に伴って、選択対象画像を変化して再度選択対象画像を表示する再選択演出と、を有し、
前記選択演出によって特定結果となる可能性を示す前記所定の識別情報の変動表示は、前記結果表示演出が実行された識別情報の変動表示であり、
識別情報の変動表示に伴って前記再選択演出が実行された場合、それ以降に開始する識別情報の変動表示が、前記特定の識別情報の変動表示とされ、
識別情報の変動表示に伴って前記結果表示演出が実行された場合、当該識別情報の変動表示が前記特定の識別情報の変動表示である
ことを特徴とする遊技機。
【請求項２】
前記選択演出として、前記再選択演出が実行された場合には、その後前記結果表示演出を実行可能とするものであり、
前記特定画像は、前記非特定画像よりも、前記特別遊技の実行可能性として高い可能性を示すものであることを特徴とする請求項１に記載の遊技機。
【請求項３】
前記遊技演出実行手段は、
前記選択演出において前記再選択演出が実行された場合、前記再選択演出の変化態様によって、その後の前記結果表示演出において前記特定画像を表示する可能性が異なることを特徴とする請求項１又は請求項２に記載の遊技機。
【手続補正２】
【補正対象書類名】明細書
【補正対象項目名】０００６
【補正方法】変更
【補正の内容】
【０００６】
（１）上述の課題を解決するための第１発明の遊技機は、
遊技球が入球可能な始動口と、
前記始動口への入球に基づいて取得した取得情報を複数個記憶可能な取得情報記憶手段と、
前記取得情報記憶手段に記憶される取得情報に基づいて識別情報を変動表示する識別情報表示手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、
前記識別情報の変動表示に伴って所定の遊技演出を実行する遊技演出実行手段と、
遊技者が所定の入力を行う入力手段と、を備えた遊技機であって、
前記遊技演出として、前記入力手段への入力に基づいて、複数の選択対象画像から何れかを選択する選択演出を有し、
前記選択演出は、
特定の識別情報の変動表示の結果が特定結果となる可能性を示す演出であって、当該特定の識別情報の変動表示より前の識別情報の変動表示に伴って演出を開始可能とし、
且つ、前記入力手段への入力に基づいて何れかの選択対象画像を選択した結果、特定画像又は前記特定画像と異なる非特定画像を表示する結果表示演出と、前記入力手段への入力に基づいて何れかの選択対象画像を選択する演出に伴って、選択対象画像を変化して再度選択対象画像を表示する再選択演出と、を有し、
前記選択演出によって特定結果となる可能性を示す前記所定の識別情報の変動表示は、前記結果表示演出が実行された識別情報の変動表示であり、
識別情報の変動表示に伴って前記再選択演出が実行された場合、それ以降に開始する識別情報の変動表示が、前記特定の識別情報の変動表示とされ、
識別情報の変動表示に伴って前記結果表示演出が実行された場合、当該識別情報の変動表示が前記特定の識別情報の変動表示である
ことを特徴とするものである。
【手続補正３】
【補正対象書類名】明細書
【補正対象項目名】０００７
【補正方法】変更
【補正の内容】
【０００７】
このような遊技機によれば、遊技演出として、入力手段への入力に基づいて演出を行う選択演出を有する。そして、選択演出は、特定の識別情報の変動表示（「対象変動」ともいう）の結果が特定結果となる可能性を示す演出であって、当該特定の識別情報の変動表示より前の識別情報の変動表示に伴って演出を開始可能とする。すなわち、選択演出は、所謂事前演出（先読み演出）であり、且つ、入力手段への入力に基づいて複数の選択対象画像から何れかの選択対象画像を選択した結果として特定画像又は非特定画像を表示する結果表示演出と、入力手段への入力に基づいて結果表示をすることなく、選択対象画像を変化させて再度選択対象画像を表示する再選択演出と、を有する。また、再選択演出及び結果表示演出を、連続する異なる識別情報の変動表示において実行可能とし、所定の識別情報の変動表示において再選択演出を実行した場合には、当該所定の識別情報の変動表示は対象変動でなく、それ以降の識別情報の変動表示にまで選択演出を継続し、所定の識別情報の変動表示において結果表示演出を実行した場合には、当該所定の識別情報の変動表示が対象変動となる。
これにより、選択演出が実行された場合、再選択演出が実行されるか、結果表示演出が実行されるかによって、当該選択演出がどの識別情報の変動表示まで継続するかを予測することが可能となり、結果表示演出における特定画像の表示に対する期待感を高めることが可能となる。また、「選択演出」は、対象変動を含む、連続する複数の識別情報の変動表示に亘って実行可能とされ、当該選択演出が実行される識別情報の変動表示の数が多いほど、結果表示演出において特定画像が表示される可能性、すなわち、特別遊技が実行される可能性が高いものとすることが可能である。また、「選択演出」を、「連続演出（連続事前演出）」ともいう。
（２）また、第２発明の遊技機は、第１発明の遊技機において
前記選択演出として、前記再選択演出が実行された場合には、その後前記結果表示演出を実行可能とするものであり、
前記特定画像は、前記非特定画像よりも、前記特別遊技の実行可能性として高い可能性を示すものであることを特徴とする。
このような遊技機によれば、選択演出として再選択演出が実行された場合、その後に結果表示演出を実行するものとされ、選択演出において特定画像を表示する場合、非特定画像を表示するよりも特別遊技の実行可能性として高い可能性を示すものとされる。これにより、遊技者は、選択演出が実行された場合には、特定画像の表示に期待して入力手段に入力を行うと共に、再選択演出が実行された場合には、特定画像の表示、ひいては特別遊技への期待感を更に高め、遊技興趣を高めることが可能となる。
（３）また、第３発明の遊技機は、第１発明又は第２発明の遊技機において、
前記遊技演出実行手段は、
前記選択演出において前記再選択演出が実行された場合、前記再選択演出の変化態様によって、その後の前記結果表示演出において前記特定画像を表示する可能性が異なることを特徴とする。
このような遊技機によれば、選択演出において再選択演出が実行されると、選択対象画像の変化態様に応じて、その後の結果表示演出において特定画像を表示する可能性が異なる。これにより、また、遊技者は、選択演出が実行された場合には、特定画像の表示に期待して入力手段に入力を行うと共に、再選択演出が実行された場合には、その変化の態様に応じて特定画像が表示されるため、特定画像の表示、ひいては特別遊技への期待感を更に高め、遊技興趣を高めることが可能となる。